(57)【要約】【課題】トレーを折り上げる際にパック受けの形成が簡単で、かつ、使用する段ボールの歩留まりを高めたトレーを提供することを目的とする。そして、トレーの底面に対して直接、青果等の重みが掛かるのを避け、このことによって青果等が傷まないようにし、かつ、外力に対して側壁の強度を高めたトレーを提供する。【解決手段】１枚の段ボール（１００）に底面（１）、前後側壁（３、３）及び左右側壁（２、２）を備え、前記前後側壁（３、３）及び前記左右側壁（２、２）を前記底面（１）から直立させることにより箱（４００）が形成されるとともに、前記箱（４００）を左右方向真中で仕切る縦仕切片（５）が前記前後側壁（３、３）間で挟持され、かつ、仕切り区画の内側にパック（７００）が装着されるトレー（６００）であって、前記パック（７００）の周縁を支えるパック受けの少なくとも一つが、前記底面（１）から略直立した、或いは前記前後側壁（３、３）から前記内側へ傾倒した状態で形成されることを特徴とするトレーである。【選択図】図７
2010018310.tif 000002
【特許請求の範囲】
【請求項１】
１枚の段ボール（１００）に底面（１）、前後側壁（３、３）及び左右側壁（２、２）を備え、
前記前後側壁（３、３）及び前記左右側壁（２、２）を前記底面（１）から直立させることにより箱（４００）が形成されるとともに、
前記箱（４００）を左右方向真中で仕切る縦仕切片（５）が前記前後側壁（３、３）間で挟持され、
かつ、仕切り区画の内側にパック（７００）が装着されるトレー（６００）であって、
前記パック（７００）の周縁を支えるパック受けの少なくとも一つが、
前記底面（１）から略直立した、或いは前記前後側壁（３、３）から前記内側へ傾倒した状態で形成されることを特徴とするトレー。        
【請求項２】
前記縦仕切片（５）の前後方向の両端部において、
支持片（３１）は、前記前後側壁（３）から前記パック（７００）側へ傾倒され、
前記縦仕切片（５）を前記支持片（３１）に挿着することを特徴とする請求項１記載のトレー。
【請求項３】
底面（１Ａ）から支持片（６Ａ）を略直立させるとともに、
この先端辺の真中にスリット（６１Ａ）を備え、
かつ、このスリット（６１Ａ）は溝幅を有し、
一方、縦仕切り片（５Ａ）の前後方向真中にスリット（５１Ａ）を備え、
このスリット（５１Ａ）は溝幅を有するとともに、前又は後へ僅かに傾斜し、
前記スリット（５１Ａ）を前記支持片（６Ａ）に備えるスリット（６１Ａ）に挿着することによって、
前記パック（７００）の周縁を受けるパック受けの少なくとも一つが、
前後方向真中へ僅かに傾斜した状態で形成されることを特徴とする請求項１記載のトレー。
【請求項４】
前記前後側壁（３）寄りにおいて、支持片（８）を底面（１）から僅かに前記内側へ傾倒した状態で起立させ、
前記支持片（８）の略真中に切れ目（ｑ）を備え、
一方、前記縦仕切り片（５）の前後端部にスリット（５４）を備え、
かつ、前記スリット（５４）は溝幅を有するとともに、前後側壁（３）側下方へ僅かに傾斜し、
前記スリット（５４）を前記切れ目（ｑ）に挿着することによって、
前記パック（７００）の周縁を受けるパック受けの少なくとも一つが、
前記前後側壁（３）側へ僅かに傾斜した状態で形成されることを特徴とする請求項１記載のトレー。
【請求項５】
前記前後側壁（３）の折り目（Ｆ）に沿って前記支持片（３１）を備えるとともに、前記折り目（Ｆ）の部位から前記支持片（３１）を前記内側に傾倒させ、
一方、前記縦仕切片（５）の前後端部にスリット（５２）を備え、
このスリット（５２）を前記支持片（３１）に挿着することを特徴とする請求項２記載のトレー。
【請求項６】
前記スリット（５２）は、前記前後側壁（３）側下方へ僅かに傾斜するとともに、前記スリット（５２）は溝幅を有し、
一方、前記支持片（３１）先端辺の略真中に切れ目（ｅ）を備え、
前記スリット（５２）を前記切れ目（ｅ）に挿着することによって、
前記パック（７００）の周縁を受けるパック受けの少なくとも一つが、
前記内側へ傾斜した状態で形成されることを特徴とする請求項５記載のトレー。
【発明の詳細な説明】
【技術分野】
【０００１】
本発明は、１枚の段ボールから折り上げられた１体形の箱と別個の仕切片とを組み合わせたトレーであって、仕切り区画毎に青果等用のパック受けを形成させたトレーに関する。そして、パック受けによって、パックの底を浮かせるようにして、トレーの底面に対し、直接、青果等の重みが掛かるのを避けることにより、青果等が傷まないようにしたトレーを提供する。ここで、パック受けの少なくとも一つが、箱の底面又は前後側壁から略直立し、或いは箱を前後に仕切る分割壁から拡開されて形成されたものである。
【背景技術】
【０００２】
本件出願人は、先に、苺パック用トレーについて、強度に優れ、かつ、段ボールを折り上げて組み立てる操作が容易で、然も、材料費を極力節約出来る発明を以下の通り提案している（特許文献１）。即ち、本発明の苺パック用トレーは、トレーの素材となる１枚のシート材の真ん中の方形域をトレーの底面とし、底面の１方の対向辺には、内壁及び外壁を２重折目を介して１体に連ねた２重側壁を連設し、各２重側壁の両側端には、この２重側壁を延長させる様にして、底面の他方の対向辺の長さより短い分割２重側壁を延設した形態を備えており、対向する１組の分割２重側壁は、２つ折状態で、その１方の自由端を、他方の自由端に挿し込んだ形態を、係合手段により固定させるものである。他に、本件出願人は、苺パック用トレーについて、パックの底面をトレーの底面から浮かす発明を以下の通り提案している（特許文献２）。本発明の苺パック用トレーは、１枚の段ボール１００から折り上げられた１体形の箱の中に、中仕切りを形成してなるトレーであって、パック受けが、側壁から拡開された支持片と、中仕切りとによって形成され、前記パック受けがパックの周縁を掛架支持するように配置されるものである。また同様に、他の出願人から、果物を詰めたトレーを宙吊り状態に保持し果物の損傷を軽減する発明が提案されている（特許文献３）。
【０００３】
【特許文献１】特開２００３−１１９５０号公報
【特許文献２】特許第３８１３５９０号公報
【特許文献３】特許第３９７８６０６号公報
【発明の開示】
【発明が解決しようとする課題】
【０００４】
以上の通りであって、特許文献に代表されるように、従来の苺パック用トレーには次のような問題点がある。
【０００５】
トレーの夫々の四区画においてパックの周縁を受けるパック受けを、箱とは別個の段ボールを折り上げて形成する。従って、トレーへ組み立てる際に段ボールからパック受けを折り上げて組み立てる操作が複雑でややこしく、かつ、別個の段ボールを使用するので段ボール紙の使用歩留まりが悪いという問題を抱えていた。また、外力に対してトレー側壁の強度が弱かった。
【０００６】
本発明の中仕切りを備えたトレーは、このような従来の抱える問題点を解決するためになされたもので、トレーを折り上げる際にパック受けの形成が簡単で、かつ、使用する段ボールの歩留まりを高めたトレーを提供することを目的とする。そして、トレーの底面に対して直接、青果等の重みが掛かるのを避け、このことによって青果等が傷まないようにし、かつ、外力に対して側壁の強度を高めたトレーを提供する。
【課題を解決するための手段】
【０００７】
そこで、本発明者等は、トレーの底面に対し、直接、青果等の重みが掛かるのを避けるためにパックの底を浮かせることに着目し、この着想に基づき試作したところ、下段の苺が傷まないといいう知見を得た。本発明の中仕切りを備えたトレーかかる知見を基に具現化したもので、請求項１の発明は、１枚の段ボール（１００）に底面（１）、前後側壁（３、３）及び左右側壁（２、２）を備え、前記前後側壁（３、３）及び前記左右側壁（２、２）を前記底面（１）から直立させることにより箱（４００）が形成されるとともに、前記箱（４００）を左右方向真中で仕切る縦仕切片（５）が前記前後側壁（３、３）間で挟持され、かつ、仕切り区画の内側にパック（７００）が装着されるトレー（６００）であって、前記パック（７００）の周縁を支えるパック受けの少なくとも一つが、前記底面（１）から略直立した、或いは前記前後側壁（３、３）から前記内側へ傾倒した状態で形成されることを特徴とするトレーである。請求項２の発明は、請求項１の発明の上記特徴に加えて、前記縦仕切片（５）の前後方向の両端部において、支持片（３１）は、前記前後側壁（３）から前記パック（７００）側へ傾倒され、前記縦仕切片（５）を前記支持片（３１）に挿着することを特徴とするトレーである。請求項３の発明は、請求項１の発明の上記特徴に加えて、底面（１Ａ）から支持片（６Ａ）を略直立させるとともに、この先端辺の真中にスリット（６１Ａ）を備え、かつ、このスリット（６１Ａ）は溝幅を有し、一方、縦仕切り片（５Ａ）の前後方向真中にスリット（５１Ａ）を備え、このスリット（５１Ａ）は溝幅を有するとともに、前又は後へ僅かに傾斜し、前記スリット（５１Ａ）を前記支持片（６Ａ）に備えるスリット（６１Ａ）に挿着することによって、前記パック（７００）の周縁を受けるパック受けの少なくとも一つが、前後方向真中へ僅かに傾斜した状態で形成されることを特徴とするトレーである。請求項４の発明は、請求項１の発明の上記特徴に加えて、前記前後側壁（３）寄りにおいて、支持片（８）を底面（１）から僅かに前記内側へ傾倒した状態で起立させ、前記支持片（８）の略真中に切れ目（ｑ）を備え、一方、前記縦仕切り片（５）の前後端部にスリット（５４）を備え、かつ、前記スリット（５４）は溝幅を有するとともに、前後側壁（３）側下方へ僅かに傾斜し、前記スリット（５４）を前記切れ目（ｑ）に挿着することによって、前記パック（７００）の周縁を受けるパック受けの少なくとも一つが、前記前後側壁（３）側へ僅かに傾斜した状態で形成されることを特徴とするトレーである。請求項５の発明は、請求項２の発明の上記特徴に加えて、前記前後側壁（３）の折り目（Ｆ）に沿って前記支持片（３１）を備えるとともに、前記折り目（Ｆ）の部位から前記支持片（３１）を前記内側に傾倒させ、一方、前記縦仕切片（５）の前後端部にスリット（５２）を備え、このスリット（５２）を前記支持片（３１）に挿着することを特徴とするトレーである。請求項６の発明は、請求項５の発明の上記特徴に加えて、前記スリット（５２）は、前記前後側壁（３）側下方へ僅かに傾斜するとともに、前記スリット（５２）は溝幅を有し、一方、前記支持片（３１）先端辺の略真中に切れ目（ｅ）を備え、前記スリット（５２）を前記切れ目（ｅ）に挿着することによって、前記パック（７００）の周縁を受けるパック受けの少なくとも一つが、前記内側へ傾斜した状態で形成されることを特徴とするトレーである。
【発明の効果】
【０００８】
本発明にかかわる青果等用のパック用トレーによれば、箱が１体形、分割壁を有する分割形にかかわらず、複数の仕切り区画毎に、パック受けを形成させることができる。そして、そのパック受けによって、パックの周縁を掛架支持し、パックの底を浮かせるようにしたので、トレーの底面に対して、直接、青果等の重みが掛かるのを避け、青果等が傷まないような効果を奏するものである。また、トレーへ組み立てる際にパック受けを容易に折り上げることができ、かつ、極力別個の段ボールを使用することを避けることにより、段ボールの使用歩留まりが高く、かつ、縦仕切りを設けることにより外力に対してトレー側壁の強度を高めることができる。
【発明を実施するための最良の形態】
【０００９】
本発明の実施の形態を、添付図面に例示した本発明の実施例に基づいて以下に具体的に説明する。
【実施例１】
【００１０】
先ず、本実施例１ついて、図１〜図７を参照しながら説明する。図１は、本実施例の箱４００Ａの展開図で段ボール１００Ａであり、図（ａ）は全体図で、図（ｂ）は前後側壁から傾倒される支持片の拡大図である。図２は、同上、トレーの縦仕切片５Ａである。図３は、同上、折上がった箱４００Ａを示す斜視図である。図４は、本実施例の折上がったトレー６００Ａを示す斜視図である。図５は、パック７００の斜視図である。図６は、同上、縦仕切片５Ａを側壁の支持片３１Ａに係止する状態を示す斜視図であり、同図（ａ）は前後側壁３の外側から見た支持片３１Ａの係止状態であり、同図（ｂ）は、図（ａ）のＺ−Ｚ矢視断面図である。図７は、同上、折上がったトレー６００Ａの１箇所に、パック７００を載せた状態を示す平面図である。
【００１１】
図１に示す、略矩形状をした段ボール１００Ａの前後側壁３Ａ、３Ａの方向を上下方向、左右側壁２Ａ、２Ａと左右側壁２Ａ、２Ａの方向を左右方向とし、他の実施例についても同様である。本図は箱４００Ａの展開図であって、上下および左右対称であり、図の輪郭内の点線は折り目を示し、同じく直線は切れ目を示し、他の実施例についても同様である。ここで、箱４００Ａとは、１枚の段ボール１００Ａから折り上げられた縦仕切片５Ａを挿着する前の体形の箱である。
【００１２】
段ボール１００Ａには、所定の箇所に折り目や切れ目等を設けてあり、それらの設け方について以下に説明する。図１（ａ）に示すように、段ボール１００Ａは、真中を占める方形域を底面１Ａとし、その左方は、主折り目Ｋを介して左右側壁２Ａ、２Ａが連接する。これらの左右側壁の真中に、折上げる際２枚重ねにする二重折り目Ｌ、Ｌを設け、これらによって挟まれる部位は後述する頂面２４Ａを形成する。そして、この頂面２４Ａ上に上下の切れ目と折り目Ｐをセットで設ける。更に、外側の左右側壁２Ａの上隅にパックを掛架支持するための支持片２１Ａ及び、外側の先端辺に係止片２３Ａを設ける。一方、底面１Ａの上方は、主折り目Ｍを介して前後側壁３Ａが連接し、この略真中に台形状の支持片３１Ａが折り目Ｆを底面１Ａ側へ向けて設けられ、拡大して１図（ｂ）に示す。この支持片３１Ａの先端辺は円弧状の切れ目ｄによる窪んだ凹み３２Ａが形成され、この切れ目ｄの真中から下方へ短い切れ目ｅが延び、この先端でこれと直角にＴ字状に切れ目ｆを設ける。底面１Ａの真中に折り目Ｅを真中に向けて台形状の支持片６Ａを設ける。この支持片６Ａの先端辺真中は円弧状の切れ目ａ、この両側に切れ目ｂ、ｂを扇形に備え、この真中先端から溝幅を持つスリット６１Ａが下方へ延び、更にこの下方へ短い切れ目ｃが延びる。ここで、スリット６１Ａの溝幅は後述する縦仕切片５Ａの段ボール厚さ寸法より僅かに広い。これらの円弧状の切れ目ａと切れ目ｂ、ｂとで形成された扇形及びこれらの真中先端のスリット６１Ａを模る穴が形成され、この穴の左右に蝶の翅のように支持片６Ａが拡がる。また、上方の前後側壁３Ａは、左方の折り目Ｓを介して、補助片４Ａと連接し、この補助片４Ａの上端には折り目Ｔを介して、当接片４１Ａを設けている。その他、底面１Ａには、主折り目Ｋに沿って嵌合穴１１Ａを設け、これに係止片１２Ａを備える。他の実施例についても同様である。
【００１３】
次に、本実施例の縦仕切片について説明する。図の長辺方向を上下方向、短辺方向を左右方向と称し、上下対称であり、他の実施例についても同様である。図２に示すように、後述する箱４００Ａを左右に仕切る縦仕切片５Ａは、略長方形の１枚の段ボールからなる。右辺は箱４００Ａの底面１Ａ側となり、この上下真中に二本のスリット５１Ａ及び上下短辺にスリット５２Ａが開口する。真中のスリット５１Ａは溝幅を有し、右上がりに斜辺５１１Ａが僅かに傾斜して開口し、この左端から左下がりの切り目ｇを備える。上下短辺のスリット５２Ａは溝幅を有し、右上がりに斜辺５２１Ａが傾斜して開口する。
【００１４】
段ボール１００Ａ及び縦仕切片５Ａは以上のように構成され、以下にトレーへと折り上げる手順について説明する。底面１Ａを囲むように、左右側壁２Ａ、２Ａ及び前後側壁３Ａを夫々折り目の部位から直立させると、図３に示すように一体型の箱４００Ａが出来上がる。ここで、箱４００Ａとは、略矩形状をした段ボール１００Ａから、底面１Ａを囲むように四方の側壁２Ａ、２Ａおよび側壁３Ａ、３Ａを直立した蓋無しの直方体状の箱である。側壁２Ａ、２Ａを直立させる過程で、角隅の補助片４Ａが左方の左右側壁２Ａと左右側壁２Ａとで挟まれ、左右側２Ａ壁は外側から左右側壁２Ａ、補助片４Ａ、及び左右側壁２Ａとが重なる三重側壁が形成される。この三重の側壁へ折上げられることによって、左右側壁２Ａの座屈強度が向上するので、果物の実が一杯詰まったトレーの多段積みによる荷重を受けることができる。他の実施例についても同様である。また、二重折の左右側壁２Ａを直立させる際、四隅の支持片２１Ａを折り目Ｎの部位から開きながら、先端辺２１１Ａを前後側壁３Ａに当接させると、本図に示すように支持片２１Ａが四隅に形成される。他の実施例についても同様である。次に、底面１Ａ上の支持片６Ａの扇形の穴６２Ａに指の先を差し込んで折り目Ｅの部位から起立させ、支持片６Ａを底面１Ａに対して略直立させる。次に、スリット６１Ａを上に向け、このスリット６１Ａに目がけて上方から縦仕切片５Ａに備えるスリット５１Ａを挿着する。この時、支持片６Ａはスリット５１Ａの斜辺５１１Ａの傾斜に倣って僅かに箱の前後真中側へ傾く。同時に前後側壁３Ａの支持片３１Ａを折り目Ｆの部位から内側へ傾倒させ、先端辺の凹み３２Ａに縦仕切片５Ａの傾斜したスリット５２Ａを抉るようにして挿着し、この時スリット５２Ａの傾斜片５２１Ａの傾きに倣って支持片３１Ａの傾斜角度が固定され、支持片３１Ａは内側へ傾く。この支持片３１Ａの内側への傾きは実施例３についても同様である。このようにして、箱４００Ａを左右に仕切るように前後方向に縦仕切片５Ａが挿着され、図４に示すように前後真中に、左右方向の仕切壁を有しない非分割型のトレー６００Ａが完成する。ここで、トレー６００Ａの前後側壁３Ａ、３Ａの方向を前後方向と呼び、左右側壁２、２と左右側壁２、２の方向を左右方向と呼び、トレー１００Ａの底面１Ａと開口方向を上下方向と呼び、他の実施例についても同様である。
【００１５】
ここで、パックとは、図５にパック７００として示すように、底７０１、横縁７０２、隅縁７０３、縦縁７０４および周壁７０５から構成され、これを仕切り区画に入れて青果等をパック詰めするための容器とする。
【００１６】
次に、本実施例の特徴とする事項の１についてその作用を説明する。縦仕切片５Ａの前後端部を前後側壁３Ａに備える支持片３１Ａに挿着し、この詳細について図６に示す。前後側壁３Ａの外側から見た図（ａ）のように、折り目Ｆの部位から仕切り区画の内側へ傾倒された支持片３１Ａの凹み３２Ａへ縦仕切片５Ａを差し込み、この時スリット５２Ａの斜辺５２１Ａが狭い隙間の切れ目ｅを押し拡げ、切れ目ｆの部位で止まる。即ち、縦仕切片５Ａは前後端部が抉られるようにして支持片３１Ａに挿着される。本図（ｂ）ではこの状態を断面図で示し、傾斜した斜辺５２１Ａ先端の係止部５３Ａが点Ｘの部位で支持片３１Ａに係止される。このように縦仕切片５Ａを支持片３１Ａへ挿着する時、支持片３１Ａは切れ目ｅを有するので縦仕切片５Ａが挿入され易く、かつ、切れ目ｅと直交する切れ目ｆを有するので縦仕切片５Ａは切れ目ｆの部位で止まり、切れ目ｅがこれ以上深く破れることがなく縦仕切片５Ａが固く挿着される。従って、本図（ｂ）に示すように、縦仕切片５Ａのスリット５２Ａの上方へ傾斜した斜辺５２１Ａの傾きに倣って、支持片３１Ａは前後側壁３Ａから仕切り区画の内側へ傾倒された状態を保ち、後述するパック受けの機能を有する。同時に、縦仕切片５Ａは前後側壁３Ａ、３Ａの間でこれらの前後側壁３、３を外側へ向けて突っ張るように、しかも、両端部が支持片３１Ａ、３１Ａに確実に係止される。即ち、縦仕切片５Ａは箱４００Ａの前後方向真中において支持片６Ａ、６Ａに確実に挿着される。この結果、前後方向の縦仕切片５Ａは前後側壁３Ａ、３Ａの間に挟持され、外力に対する強度を高めることができる。前後側壁３Ａから仕切り区画の内側へ支持片３１Ａが傾倒することは実施例３についても同様である。また縦仕切片５Ａは前後側壁３Ａ、３Ａ間で挟持された状態を保つことは、他の実施例についても同様である。
【００１７】
本実施例の特徴とする事項の２についてその作用を説明する。縦仕切片５Ａの真中を支持片６Ａに挿着し、この状態を図４に示す。底面１Ａ真中の支持片６Ａの扇形の穴８２Ｂに指の先を差し込んで折り目Ｅの部位から起立させながらスリット６１Ａを上に向け、上方からこのスリット６１Ａへ目がけて縦仕切片５Ａのスリット５１Ａを差し込む。スリット５１Ａは前又は後方向に僅かに傾斜した斜辺５１１Ａを有し、前又は後方向に僅かに傾斜した幅を有する溝である。縦仕切片５Ａを支持片６Ａへ挿着する時、支持片６Ａは斜辺５１１Ａの傾斜に倣って箱の真中側へ僅かに倒れながら略直立し、この時、スリット５１Ａは溝幅を持つスリット６１Ａと噛み合いながら切り目ｃへ食い込む。詳しくは、先ずスリット５１Ａは支持片６Ａのスリット６１Ａに嵌り、次に、隙間の狭い切り目ｃへ食い込むように侵入し、ついには縦仕切片５Ａは支持片６Ａに固く挿着される。従って、一旦挿着された縦仕切片５Ａは支持片６Ａから外れ難い。以上のように、本実施例では、支持片６Ａを底面１Ａから略直立させて形成し、かつ、この支持片６Ａの先端辺６１１Ａにパック受けの機能を持たせるとともに、トレーの横仕切りを兼用させたところにある。ここで、支持片６Ａは底面１Ａから略直立し、正確には縦仕切片５Ａの傾斜した斜辺５１１Ａに倣って、先端辺は真中側へ狭まるように僅かに傾く。このことにより、支持片６Ａの先端辺６１１Ａはパック７００の縁の位置を確保するとともに、支持片６Ａ、６Ａの根元では底面１Ａの根元間隔を幅広に確保できるので、底面１Ａにおける前後側壁寄りの強度を確保することができる。
【００１８】
次に、本実施例の特徴とする事項の３のパック受けの形成について説明する。図５には、トレー６００Ａの四半区画の１つに、パック７００を装着した状態を示す。このように、パック７００を装着する四半区画をトレー６００Ａの仕切り区画の内側と称し、他の実施例についても同様である。また、図５に示すように、パック７００は、底７０１、横縁７０２、隅縁７０３、縦縁７０４等から構成される。これは、青果等をパック詰めするための容器である。図７に示すように、トレーの四隅に形成される支持片２１Ａの先端辺２１１Ａはパックの隅縁７０３を受け、縦仕切片の両端に形成される支持片３１Ａの先端辺３１１Ａはパックの横縁７０２を受け、そして、真中の支持片６Ａの先端辺６１Ａは横縁７０２を受ける。以上のようにして、トレー６００Ａの四半区画毎に夫々パック受けが形成される。ここで、夫々支持片の上端辺の、底面１Ａからの高さ寸法は、パックの深さ寸法より大きい。そのため、パックの縁部は、支持片６Ａと支持片２１Ａと支持片３１Ａの夫々三箇所で、支えられながら、パックの底面７１は、トレー６００Ａの底面１Ａに接触することなく、浮いた状態を保つことができる。このパックの底面７１が底面１Ａに接触することなく、浮いた状態を保つことは他の実施例についても同様である。ここで、パック受けとは、各種形状の支持片のことを言い、パックの底面７１が底面１Ａに接触することなく浮いた状態にパック７００の周縁を支える。他の実施例についても同様である。
【００１９】
その他、段ボール１００Ａを構成する部位の機能を補足説明する。左右側壁２Ａ、２Ａを直立させる際、二重折り目Ｌ、Ｌによって挟まれた頂面２４Ａに二箇所の折り目Ｐを頂辺とする山形状の突起２２Ａが形成される。トレー６００Ａを段積みする際、この突起２２Ａの折り目Ｐの部分が底面１Ａの裏側に形成された係止穴７Ａに嵌合する。この突起２２Ａの先端は山形状に尖っているので、嵌合穴１１Ａに嵌って段積みの際トレーが前後にずれたりして荷崩れする恐れがない等の作用をする。また、補助片４Ａの当接片４１Ａが、二重壁を形成する左右側壁２Ａにおける頂面２４Ａの背面から当接する。これらのことにより、二重壁を形成する左右側壁２Ａの頂面２４Ａが上下の外力に対して補強され、果物の実が一杯詰まったトレーの多段積みによる荷重を受けることができる。また、トレー６００Ａ段積みする時、左右側壁２Ａ先端辺の係止片２３Ａが嵌合穴１１Ａの辺１２Ａの内側に入るので段積みが位置ずれすることがない。これらの事項は他の実施例についても同様である。
【実施例２】
【００２０】
本実施例２ついて、図８〜図１５を参照しながら説明する。図８は、本実施例の箱４００Ｂの展開図で、段ボール１００Ｂである。図９は、同上、トレーの縦仕切片５Ｂである。図１０は、同上、トレーの横仕切りの展開図で横仕切段ボール３００Ｂである。図１１は、同上、折上がった箱４００Ｂを示す斜視図である。図１２は、同上、箱４００Ｂの底面から支持片を直立させた状態を示す斜視図である。図１３は、同上、折上がったトレー６００Ｂを示す斜視図である。図１４は、同上、縦仕切片５Ｂを底面から略直立させた支持片８Ｂに挿着した状態を示す斜視図である。図１５は、同上、折上がったトレー６００Ｂの１箇所に、パック７００を載せた状態を示す平面図である。
【００２１】
本実施例の実施例１との主たる相違点は、左右方向の横仕切片を別の段ボールを折り上げて箱に組み込み、かつ、パック受けの支持片を前後側壁寄りで底面から起立させたところにある。以下、実施例１と相違する箇所について主に説明する。
【００２２】
上下および左右対称な略矩形状をした段ボール１００Ｂには、所定の箇所に折り目や切れ目等を設けてあり、それらの設け方について以下に説明する。図８に示すように、段ボール１００Ｂは、真中を占める方形域を底面１Ｂとし、その左方は、主折り目Ｋを介して左右側壁２Ｂ、２Ｂが連接する。底面１Ｂ上方の前後側壁３Ｂ寄りに折り目Ｇを設け、この内側に支持片８Ｂを設ける。この支持片８Ｂの下方は円弧状の切れ目ｐ、この両側の切れ目ｒ、ｒとで扇形に形成され、この扇形の真中先端から溝幅を持つスリット８１Ｂを備え、この上方へ短い切れ目ｑが延びる。ここで、支持片８Ｂの先端辺には切れ目ｂ、ｂにより扇形状の凹み８４Ｂが形成され、この真中から溝幅を有するスリット８１Ｂが延びる。スリット８１Ｂの溝幅は縦仕切片用の段ボール厚さ寸法より僅かに広い。
【００２３】
段ボール１００Ｂは以上のように構成され、以下に折り上げる手順について説明する。実施例１と同様に底面１Ｂを囲むように、左右側壁２Ｂ、２Ｂ及び前後側壁３Ｂを直立させると、一体型の箱４００Ｂが出来上がり、四隅に支持片が形成される。ここで、箱４００Ｂとは、略矩形状をした段ボール１００Ｂから折り目に沿って左右側壁および前後側壁を直立させた直方体状の蓋無しの箱であり、図１１に示すように、十字形中仕切を組み込む前の状態である。
【００２４】
次に、本実施例の縦仕切片について説明する。図９に示すように、後述する箱４００Ｂを左右に分ける縦仕切片５Ｂは、略長方形の１枚の段ボールからなる。右辺は箱４００Ｂの底面１Ｂ側となり、真中に溝幅を有する二本のスリット５１Ｂ及び上下短辺寄りに溝幅を有するスリット５４Ｂを設ける。スリット５１Ｂは溝が右辺に直立して開口し、上下短辺寄りのスリット５４Ｂは溝が上下真中側へ僅かに傾斜して開口する。真中のスリット５１Ｂの溝幅は横仕切９Ｂの段ボール厚さ寸法より僅かに広い。図１０に横仕切段ボール３００Ｂを示し、上下真中を左右方向に断続して延びる切れ目ｇによって横仕切片９Ｂが形成され、左右真中に溝幅を持つスリット９３Ｂを上下方向に設ける。また、切れ目ｇに平行に折れ目Ｙが断続して左右方向に延びる。そして、折れ目Ｙと直角方向に切れ目ｊを設ける。横仕切片９Ｂを折れ目Ｙの部位から断面コの字状に下側へ折り曲げると左右方向の真中上面に頂面９２Ｂ、９２Ｂが形成される。縦仕切片５Ｂを真中の頂面９２Ｂのスリット９３Ｂへ差し込んで、この横仕切片のスリット９３Ｂに縦仕切片のスリット５１Ｂを挿着する。このようにして、後述する１３図に示す十文字形中仕切り５００Ｂが組み上がる。
【００２５】
箱４００Ｂ及び十字型中仕切り５００Ｂは以上のように形成され、以下にトレーへと折り上げる手順について説明する。十文字形中仕切り５００Ｂを底面１Ｂの上に載置しながら、前後側壁３Ｂ寄りの支持片８Ｂにおける扇状の穴８２Ｂへ指先を差し込んで折り目Ｇの部位から起立させる。詳しくは、支持片８Ｂを僅かに箱の前後真中側へ傾斜させた状態で、スリット８１Ｂを上方に向けて開口する。これらの上下のスリット８１Ｂへ目がけて縦仕切片５Ｂに備えるスリット５４Ｂを差し込むと、図１３に示すように左右方向の仕切壁を有しない非分割型のトレー６００Ｂが完成する。この時、支持片８Ｂのスリット８１Ｂに縦仕切片５Ｂの傾斜したスリット５４Ｂを抉るようにして挿着する。縦仕切片５Ｂの前後端部寄りのスリット５４Ｂは溝が僅かに前後真中側へ傾斜しているので、これに倣って支持片８Ｂは傾斜角度が固定され、前後側壁３Ｂ側へ僅かに傾斜する。このことは、実施例４についても同様に、支持片は夫々前後側壁側へ僅かに傾斜する。
【００２６】
次に、本実施例の特徴とする事項の１についてその作用を説明する。図１４に、縦仕切片５Ｂの端部が支持片８Ｂに挿着される詳細を示す。底面１Ｂから起立した支持片８Ｂにおけるスリット８１Ｂへ目がけて縦仕切片５Ｂのスリット５２Ｂを差し込む。この時、スリット８１Ｂの先端部が切れ目ｑを備えるので、縦仕切片５Ｂを挿入し易く、一旦スリット８１Ｂへスリット５２Ｂを差し込むと、双方が絡み合った状態となって外れ難い。この時、縦仕切片５Ｂの前後端部寄りのスリット５４Ｂは溝が僅かに真中側へ傾斜しているので、これに倣って支持片８Ｂは傾斜角度が固定して挿着され、前後側壁３Ｂ側へ僅かに傾斜する。このようにして、支持片６１Ｂは前後側壁３Ｂ側へ僅かに傾斜したままの状態を保持し、後述するパック受けの機能を有する。このことは実施例４についても同様である。また、縦仕切片５Ｂは前後側壁３Ｂ、３Ｂの間にこれらの側壁を外側へ向けて突っ張るように、しかも、両端部が前後側壁３Ｂ、３Ｂに確実に係止され、また、箱４００Ｂを左右に仕切る縦仕切片５Ｂが横仕切片９Ｂの左右真中に固着される。この結果、縦仕切片５Ｂは、前後側壁３Ｂ、３Ｂの間に挟持され、外力に対する突っ張り強度を高めることができる。ここで、支持片８Ｂは底面１Ｂから前後側壁３Ｂへ僅かに傾斜して起立することにより、支持片８Ｂはパック７００の縁を支えるパック受けとしての位置を確保するとともに、支持片８Ｂの底面１Ｂにおける前後側壁３Ｂからの距離を確保できるので、底面１Ｂにおける強度を確保することができる。このことは実施例４についても同様である。
【００２７】
次に、本実施例の特徴とする事項の２のパック受けの形成について説明する。図１５には、トレー６００Ｂの四半区画の１つに、パック７００を載せた状態を示す。トレー６００Ｂの前方では、トレーの四隅に形成される支持片２１Ｂの先端辺２１１Ｂ及び真中の支持片８Ｂの先端辺８１１Ｂは、夫々パックの隅縁７０３を受ける。一方、前後真中では、横仕切り片９Ｂの支持片９１Ｂの先端辺９１１Ｂが横縁７０２を受ける。以上のようにして、トレー６００Ｂの四半区画毎にパック受けが形成される。
【実施例３】
【００２８】
本実施例３ついて、図１６〜図２０を参照しながら説明する。図１６は、図１は、本実施例の箱４００Ｃの展開図で段ボール１００Ｃであり、図（ａ）は全体図で、図（ｂ）は前後側壁から傾倒される支持片の拡大図である。図１７は、同上、トレーの縦仕切片５Ｃである。図１８は、同上、折上がったトレー６００Ｃを示す斜視図である。図１９は、同上、折上がったトレー６００Ｃの１箇所に、パック７００を載せた状態を示す平面図である。図２０は、同上、トレー６００Ｃを分割壁から二つに分離する過程の斜視図である。
【００２９】
実施例１、２との主たる相違点は、前後真中に分割壁を有する分割型のトレーである。即ち、箱４００Ｃが前後真中の左右方向の分割壁７Ｃを介して、前後に仕切られるところにある。この分割壁は、十字形中仕切の横仕切片を兼ねる。そして、更に前後方向の縦仕切片によって左右に区分され、全体として四半区画が形成されることは後述する実施例４と同様である。
【００３０】
略矩形状をした段ボール１００Ｃには、所定の複数箇所に折り目や切れ目等を設けてあるので、それらの設け方について以下に説明する。図１６（ａ）に示すように、段ボール１００Ｃは、上下方向真中で左右に断続して延びる折り目Ｊ、Ｊを介して上下に分割される。そして、段ボール１００Ｃにおける中央を占める方形域を底面１Ｃとし、真中の分割壁７Ｃ、７Ｃを介して底面１Ｃは上下に２つに仕切られる。上方の分割壁７Ｃには折り目Ｃを介して左右に支持片７１Ｃを設け、一方、下方の分割壁７Ｃには折り目Ｄを介して左右に支持片７２Ｃを設ける。中央を占める底面１Ｃの左右は、主折り目Ｋを介して左右側壁２Ｃ、２Ｃが連接する。左右側壁２Ｃ、２Ｃは、二重折り目Ｌ、Ｌを設け、これらによって挟まれる部位は頂面２４Ｃを形成する。そして、この頂面２４Ｃ上に上下の切れ目と折り目Ｐをセットで設ける。一方、底面１Ｃの上方は、主折り目Ｍを介して前後側壁３Ｃが折り目Ｆを底面１Ｄ側へ向けて設けられる。かつ、主折り目Ｍ‘を介して前後方向中央の分割壁７Ｃが連接する。この略中央に台形状の支持片３１Ｃを設け、図１６（ｂ）に拡大して示す。ここで、支持片３１Ｃの先端辺には左右の切れ目ｍ、ｍによって、扇状の凹み３２Ｃが形成される。この支持片３１Ｃの先端辺の真中は窪んだ凹み３２Ｃとこの真中から溝幅を有するスリット３１１Ｃと、この先端に切れ目ｅが延び、これと直角に交わるように切れ目ｆを設ける。ここで、スリット３１１Ｃの溝幅は後述する縦仕切片５Ｃの段ボール厚さ寸法より僅かに広い。また、分割壁７Ｃの左右には、補助側壁１０Ｃが上方から延長する主折り目Ｋを介して連接している。ここで、本図は、箱４００Ｃの展開図であって、上下真中の分割壁における支持片７１Ｃ、７２Ｃを除いて上下および左右対称であり、実施例４についても同様である。
【００３１】
次に、本実施例の縦仕切片について説明する。図１７に示すように、後述する箱４００Ｃを左右に仕切る縦仕切片５Ｃは、略長方形の１枚の段ボールからなる。右辺は箱４００Ｃの底面１Ｃ側になり、真中に一本のスリット５３Ｃ及び上下短辺の略真中にスリット５２Ｃを設ける。真中のスリット５３Ｃは溝幅を有して右辺に直立して開口し、上方のスリット５２Ｃは溝幅を有して右上がりに傾斜して開口する。
【００３２】
段ボール１００Ｃ及び縦仕切片５Ｃは以上のように構成され、以下にトレー６００Ｃへと折り上げる手順について説明する。前後に２つに分割された底面１Ｃを中にして、二重の左右側壁２Ｃ、２Ｃと前後側壁３Ｃを折って直立させる。トレー６００Ｃへと折り上げる過程において、上下の分割壁７Ｃ、７Ｃを不連続に延びる折り目Ｊ、Ｊの部位から下方へ折り曲げる。次いで、分割壁７Ｃ、７Ｃの背面同士を合わせて密着、直立する二重壁が形成され、重なった分割壁７Ｃ、７Ｃは後述する十字形中仕切５００Ｃの横仕切片を兼ねる。このようにして、前後に分割された分割型の箱４００Ｃができる。ここで、左右側壁２Ｃ、２Ｃを直立させる過程で、補助片４Ｃと補助分割片８Ｃが左右側壁２Ｃと左右側壁２Ｃとで挟まれ、左右側壁は外側から左右側壁２Ｃ、補助片４Ｃ、補助分割片８Ｃ及び左右側壁２Ｃが重なる四重側壁が形成される。この四重側壁が形成されることによって、側壁の座屈強度が向上し、果物の実が一杯詰まったトレーの多段積みによる荷重を受けることができる。実施例４についても同様である。ここで、箱とは、略矩形状をした段ボール１００Ｃから、折り目に沿って、左右側壁および前後側壁として、立ち上げ、更に、前後真中に分割壁を設けたもので、縦仕切片を装着する前の状態のものをいう。以下実施例４についても同様である。次に、前後側壁３Ｃの支持片３１Ｃを折り目Ｆの部位から内側へ傾斜させ、傾斜した凹み３２Ｃへ縦仕切片５Ｃのスリット５２Ｃを差し込む。このようにして、縦仕切片５Ｃを前後側壁３Ｃの支持片３１Ｃに挿着する。次に、分割壁７Ｃ、７Ｃに備える支持片７１Ｃを折り目Ｃの部位から前方へ、支持片７２Ｃを折り目Ｄの部位から後方へ傾倒させる。この状態で、前後側壁３Ｃの内側に傾斜した支持片３１Ｃのスリット３１１Ｃが上に向き、一方、箱の前後真中の分割壁７Ｃ、７Ｃにおいてスリット７３Ｃ、７４Ｃが形成される。次に、これらのスリット７３Ｃ、７４Ｃへ縦仕切片５Ｃのスリット５３Ｃを差し込む。同時に、前後側壁３の内側へ傾倒して支持片３１Ｃのスリット３１Ｃへ縦仕切片５Ｃの傾斜したスリット５２Ｃを差し込む。この時、縦仕切片５Ｃは前後側壁３Ｃ、３Ｃの間に挟持され、外力に対して前後側壁を外側へ向けて突っ張るように係止され、また、箱４００Ｃの前後方向真中において分割壁７Ｃ、７Ｃのスリットに固着される。この結果、前後側壁３Ｃ、３Ｃへの外力に対する突っ張り強度を高めることができる。このようにして、図１８に示すように前後方向真中に左右方向の仕切壁を有する分割型のトレー６００Ｃが完成する。
【００３３】
次に、本実施例の特徴とする事項のパック受けの形成について説明する。図１９には、トレー６００Ｃの四半区画の１つに、パック７００を載せた状態を示す。図示のように、トレーの四隅に形成される支持片２１Ｃの先端辺２１１Ｃ及び縦仕切片の両端に形成される支持片３１Ｃの先端辺３１１Ｃは夫々パックの隅縁７０３を受け、そして、真中の分割壁７Ｃ、７Ｃの両側に形成される支持片７１Ｃ、７２Ｃの中、図では支持片７１Ｃの先端辺７１１Ｃは横縁７０２を受ける。以上のようにして、トレー６００Ｃの四半区画毎にパック受けが形成される。
【００３４】
本実施例のトレー６００Ｃは、図２０に示すように前後方向真中の折り目Ｊ、Ｊの部位からくの字状に折り曲げることができる。そして、折り目Ｊ、Ｊの部位から切り離し四半区画を二箇所有するトレーとしてしようすることができる。即ち、本実施例のトレーは前述した四半区画を四箇所又は二箇所有するトレーとして兼用できる。実施例４についても同様である。
【実施例４】
【００３５】
本実施例４ついて、図２１〜図２４を参照しながら説明する。図２１は、箱４００Ｄの展開図で段ボール１００Ｄである。図２２は、同上、トレーの縦仕切片５Ｄである。図２３は、同上、折上がったトレー６００Ｄを示す斜視図である。図２４は、同上、折上がったトレー６００Ｄの１箇所に、パック７００を載せた状態を示す平面図である。
【００３６】
本実施例の実施例３との主たる相違点は、支持片を前後側壁に寄りで底面から略直立させたところにある。以下、実施例３と相違する箇所について主に説明する。
【００３７】
略矩形状をした段ボール１００Ｄには、所定の複数箇所に折り目や切れ目等を設けてあるので、それらの設け方について以下に説明する。図２１に示すように、段ボール１００Ｄは、真中を占める方形域を底面１Ｄとし、その左右は、主折り目Ｋを介して左右側壁２Ｄ、２Ｄが連接する。かつ、主折り目Ｍ‘を介して前後方向中央の分割壁７Ｄが連接する。底面１Ｄ上方の前後側壁３Ｄ寄りに折り目Ｇを設け、この内側に支持片８Ｄを設ける。この支持片８Ｄの下方は円弧状の切れ目ｐ、この両側の切れ目ｒ、ｒとで扇形に形成され、この上方へ短い切れ目ｑが延びる。ここで、ここで、支持片８Ｄの下辺には左右の切れ目ｒ、ｒによって、扇状の凹み８４Ｄが形成される。
【００３８】
次に、本実施例の縦仕切片について説明する。図２２に示すように、後述する箱４００Ｄを左右に分ける縦仕切片５Ｄは、略長方形の１枚の段ボールからなる。右辺は箱４００Ｄの底面１Ｄ側となり、真中に一本のスリット５１Ｄ及び上下短辺寄りにスリット５２Ｄ、５２Ｄを設ける。真中のスリット５３Ｄは溝幅を有して右辺に直立して開口し、上下短辺寄りのスリット５４Ｄは溝幅を有して上下真中側へ僅かに傾斜して開口する。
【００３９】
段ボール１００Ｄ及び縦仕切片５Ｄは以上のように構成され、以下にトレー６００Ｄへと折り上げる手順について説明する。底面１Ｄ上で、前後側壁３Ｄ寄りの支持片８Ｄを切れ目ｐの扇状の穴８２Ｄ（図２１参照）へ指先を差し込んで折り目Ｇの部位から起こして略直立させる。詳しくは、この支持片８Ｄを前後側壁３Ｄ側へ僅かに傾斜させた状態で、先端辺真中のスリットｑを上方に向けて開口する。このスリットｑへ目がけて縦仕切片５Ｄのスリット５２Ｄを上方から差し込むと、図２３に示すように前後に仕切られた分割型のトレー６００Ｄが完成する。この時、底面１Ｄから起立した支持片８Ｄの真中のスリットｑへ縦仕切片５Ｄのスリット５２Ｄが挿着された状態になり、縦仕切片５Ｄは前後側壁３Ｄ、３Ｄの間に挟持される。しかも、前後方向端部が支持片８Ｄに確実に挿着され、更に、縦仕切片５Ｄの前後方向真中が分割壁７Ｄ、７Ｄに挿着される。この結果、前後側壁３Ｄ、３Ｄへの外力に対する突っ張り強度を高めることができる。
【００４０】
次に、本実施例の特徴とする事項のパック受けの形成について説明する。図２４には、トレー６００Ｄの四半区画の１つに、パック７００を載せた状態を示す。トレー６００Ｄの前方では、トレーの四隅に形成される支持片２１Ｄの先端辺２１１Ｄ及び縦仕切片前後両端における支持片８Ｄの先端辺８１１Ｄは、夫々パックの隅縁７０３を受ける。一方、真中では、真中の分割壁７Ｄ、７Ｄの両側に形成される支持片７１Ｄ、７２Ｄの中、図では支持片７１Ｄの先端辺７１１Ｄは横縁７０２を受ける。以上のようにして、トレー６００Ｄの四半区画毎にパック受けが形成される。
【産業上の利用可能性】
【００４１】
本発明の使途は、苺、葡萄、杏子、サクランボ、無花果、枇杷等の青果用のトレーに限らず、卵、菓子等の用途に使っても勿論よい。段ボールを使っているが、段ボール以外の各種型紙や、必要に応じてプラスチック等を用いても勿論よい。
【図面の簡単な説明】
【００４２】
【図１】本発明の第１実施例の箱４００Ａの展開図で、段ボール１００Ａである。
【図２】同上、トレーの縦仕切りの展開図で、縦仕切片５Ａである。
【図３】同上、折上がった箱４００Ａを示す斜視図である。
【図４】同上、折上がったトレー６００Ａを示す斜視図である。
【図５】パック７００の斜視図である。
【図６】第１実施例の、縦仕切片５Ａを側壁の支持片３１Ａに係止する状態を示す斜視図である。
【図７】同上、折上がったトレー６００Ａの１箇所に、パック７００を載せた状態を示す平面図である。
【図８】本発明の第２実施例の箱４００Ｂの展開図で、段ボール１００Ｂである。
【図９】同上、トレーの縦仕切りの展開図で、縦仕切片５Ｂである。
【図１０】同上、トレーの横仕切りの展開図で横仕切段ボール３００Ｂである。
【図１１】同上、折上がった箱４００Ｂを示す斜視図である。
【図１２】同上、箱４００Ｂの底面から支持片を直立させた状態を示す斜視図である。
【図１３】同上、折上がったトレー６００Ｂを示す斜視図である。
【図１４】同上、縦仕切片５Ｂを底面から略直立させた支持片８Ｂに挿着した状態を示す斜視図である。
【図１５】同上、折上がったトレー６００Ｂの１箇所に、パック７００を載せた状態を示す平面図である。
【図１６】本発明の第３実施例の箱４００Ｃの展開図で、段ボール１００Ｃである。
【図１７】同上、トレーの縦仕切片５Ｃである。
【図１８】同上、折上がったトレー６００Ｃを示す斜視図である。
【図１９】同上、折上がったトレー６００Ｃの１箇所に、パック７００を載せた状態を示す平面図である。
【図２０】同上、トレー６００Ｃを分割壁から二つに分離する過程の斜視図である。
【図２１】本発明の第４実施例の箱４００Ｄの展開図で、段ボール１００Ｄである。
【図２２】同上、トレーの縦仕切片５Ｄである。
【図２３】同上、折上がったトレー６００Ｄを示す斜視図である。
【図２４】同上、折上がったトレー６００Ｄの１箇所に、パック７００を載せた状態を示す平面図である。
【符号の説明】
【００４３】
１００Ａ〜１００Ｄ（１００）  トレーの段ボール
３００Ｂ（３００）  横仕切段ボール
４００Ａ〜４００Ｄ（４００）  箱
５００Ｂ（５００）  十字形中仕切
６００Ａ〜６００Ｄ（６００）  トレー
７００  パック
７０１  底、７０２  横縁、７０３  隅縁、７０４  縦縁、７０５  周壁
１Ａ〜１Ｄ（１）  底面、１１Ａ〜１１Ｄ  嵌合穴、１２Ａ〜１２Ｄ  辺
２Ａ〜２Ｄ（２）  左右側壁
２１Ａ〜２１Ｄ  支持片、２１１Ａ〜２１１Ｄ  先端辺、２１２Ａ〜２１２Ｄ  先端辺
２２Ａ〜２２Ｄ  突起
２３Ａ〜２３Ｄ  係止片
２４Ａ〜２４Ｄ  頂面
３Ａ〜３Ｄ（３）  前後側壁
３１Ａ、３１Ｃ（３１）  支持片、３１１Ａ、３１１Ｃ  先端辺、
３２Ａ、３２Ｃ  凹み
４Ａ〜４Ｄ  補助片
４１Ａ〜４１Ｄ  当接片
５Ａ〜５Ｄ（５）  縦仕切片
５１Ａ、５１Ｂ、５１Ｄ  スリット
５２Ａ、５２Ｃ（５２）  スリット
５３Ｃ、５３Ｄ  スリット
５４Ｂ、５４Ｄ（５４）  スリット
６Ａ（６）  支持片
６１Ａ（６１）  スリット、  ６１１Ａ  先端辺、６２Ａ  穴
７Ｃ、７Ｄ（７）  分割壁
７１Ｃ、７１Ｄ（７１）  支持片、７１１Ｃ、７１１Ｄ  先端辺
７２Ｃ、７２Ｄ（７２）  支持片、７２１Ｃ、７２１Ｄ  先端辺
８Ｂ、８Ｄ（８）  支持片
８１Ｂ  スリット、８２Ｂ、８２Ｄ  穴、８４Ｂ、８４Ｄ  凹み
８１１Ｂ、８１１Ｄ  先端辺
９Ｂ  横仕切片
９１Ｂ  支持片、９１１Ｂ  先端辺、９２Ｂ  横仕切頂面、９３Ｂ  スリット
１０Ｃ、１０Ｄ  補助分割片
Ｊ  分割折り目
Ｋ、Ｍ、Ｍ‘  主折り目
Ｐ、Ｔ  折り目
Ｌ  二重折り目
Ｃ、Ｄ、Ｅ、Ｆ、Ｇ、Ｎ、Ｓ、Ｐ、Ｙ  折り目
Ｘ  点
ａ、ｂ、ｃ、ｄ、ｅ、ｆ、ｇ、ｈ、ｊ、ｋ、ｍ、ｐ、ｑ、ｒ  切れ目
【図１】
2010018310.tif 000003
【図２】
2010018310.tif 000004
【図３】
2010018310.tif 000005
【図４】
2010018310.tif 000006
【図５】
2010018310.tif 000007
【図６】
2010018310.tif 000008
【図７】
2010018310.tif 000009
【図８】
2010018310.tif 000010
【図９】
2010018310.tif 000011
【図１０】
2010018310.tif 000012
【図１１】
2010018310.tif 000013
【図１２】
2010018310.tif 000014
【図１３】
2010018310.tif 000015
【図１４】
2010018310.tif 000016
【図１５】
2010018310.tif 000017
【図１６】
2010018310.tif 000018
【図１７】
2010018310.tif 000019
【図１８】
2010018310.tif 000020
【図１９】
2010018310.tif 000021
【図２０】
2010018310.tif 000022
【図２１】
2010018310.tif 000023
【図２２】
2010018310.tif 000024
【図２３】
2010018310.tif 000025
【図２４】
2010018310.tif 000026